(57)【要約】【課題】従来から、エアークッション等に空気を入れるのは口で入れたり、機械に口のような役割を持たせて注入する手法のみがとられてきた。それは空気の流出を最小限に抑える為である。その為、それ自体がひと仕事であったし、機械を使用するなら、それ自体の保管場所が場所をとるため不便であった。また、ウォータークッション等の市場が開けていなかったのは、エアークッション等自体が不便であり、それ以上の概念にたどり着かなかったためである。【解決の手段】口（機械）を使用せず、空気の性質を捕らえ、注入した空気自身に空気が漏れないように圧力でそれを行わせる事。簡便に密閉・開封を行うこと。さらには密閉・開封口の見栄えをよくすること。これらの概念により簡便に空気・水を注入させ、かつ密封することに成功した。この事は、さらにさまざまなシチュエーションでより快適に過ごせることを保障するものである。【選択図】  図３
2006130257.tif 000002
【特許請求の範囲】
【請求項１】
エアークッション等に空気を入れる際、口等で空気をいれるのではなく、エアークッション等を開くことによって自然に空気を入れさせ、人等がクッション等に座ったりすることによって、自然に発生する圧力によって、空気がもれないようにする空気・圧力の性質を利用する概念・技術。また、同様の概念における水・圧力の性質を利用したウォータークッション等の発明。
【請求項２】
クッション等の空気等の注入・排気口をつまみによって、一気に開封・密封する発明。また、それをしまう概念・技術。
【発明の詳細な説明】
【技術分野】
【０００１】  本発明は、エアークッション、ウォータークッション等への空気等の注入方法、空気等の密閉・開閉方法・開封口等の見栄えに関する。
【背景技術】
【０００２】  従来のエアークッション等は口で空気を注入し、蓋をかぶせて空気が漏れないようにしていた。飛行機で旅行する際に、安眠枕を使用する人がいるが、空気を口で注入して膨らませて使用していおり、それ自体がひと仕事となっていた。空気の注入には機械を使用することがあるが、論理構造は口で注入することと同じであり、口が機械に代わっただけである。口では疲れるし、機械ではかさばるという不便性から、長距離の移動、花火大会・お花見等でエアークッション等を使用するひとは皆無に等しい状態である。【０００３】  従来、エアークッション等はあったが、自分で水を注入するウォータークッション等はなかった。エアークッション等が簡便的でなく市場性が薄い為、空気以外のクッションという概念にいきついていない。
【発明の開示】
【発明が解決しようとする課題】
【０００４】  以上に述べた通り、昔から、エアークッション等に空気を入れるのは口で入れたり、機械に口のような役割を持たせて注入する手法のみがとられてきた。そのことは、例えば口で空気を入れようものなら、それ自体がひと仕事であったし、機械を使用するなら、それ自体の保管場所が場所をとるため不便であった。また、その不便性から、長距離バス等で本来なら使用されてもおかしくないシチュエーションにも関わらず、使用する人は皆無に等しいし、花火大会・お花見等では使用する人すらいない。【０００５】  ウォータークッション等の市場が開けていなかったのは、エアークッション等自体が不便であり、それ以上の概念にたどり着かなかったためである。
【課題を解決するための手段】
【０００６】  エアークッション等に空気を注入することを口（機械）で注入するのではなく、物理的に考え自然に行わせることにより解消させた。【０００７】  エアークッション等に空気を注入する際に口（機械）を使用する理由は、注入口を小さくすることにより、空気の漏れを小さくする為であった。それを、エアークッション等に圧力をかけることにより空気自身に空気の流出をおさえさせることに成功した。【０００８】  エアークッション等をより簡便に使用できるように、空気の注入口・排気口をつまみでワンタッチで開閉させることを発明した。また、エアークッション等にヒダをつけそこに収納することにより、見栄えをよくする戦略を発明した。【０００９】  エアークッション等が簡便に使用できることが、一般的に知れわたれば、同様の概念からなるウォータークッション等が自動的に一般コンシューマーに認知され、受け入れやすくなる。
【発明の効果】
【００１０】上述しように、口（機械）を使用せず、空気を注入すること。また、空気の性質を捕らえ、注入した空気自身に空気が漏れないように圧力でそれを行わせる事。簡便に密閉・開封を行うこと。さらには密閉・開封口の見栄えをよくすること。これは水に関しても同様である。これらの概念は今までのエアークッション、ウォータークッション等にはなかったものである。これらにより従来のエアークッション、ウォータークッション等が簡易的に用いることが可能となり、見栄えをよくしたことから、人前で使用する抵抗感を排除した。長距離バス等の中で寝る際や、花火大会・お花見等でもエアークッション、ウォータークッション等を使用する人が増えることが見込まれ、それぞれのシチュエーションをより快適に過ごせるようになる。
【発明を実施するための最良の形態】
【００１１】  以下、本発明の形態を図１〜図６にもとづいて説明する。【００１２】  本体の論理を説明する（今回、クッションをエアークッション、素材をビニールとして説明する。これは説明をあくまでわかりやすくする為であり、クッションの中身をウォーター等、素材をビニール以外の素材を使用することが可能である）。図３をご覧頂きたい。丸が人のお尻、その下の四角い箱がクッションである。人がクッションに座ることにより、図３のＣａの部分に圧力が集中する。そしてその圧力が逃げようと分散され、クッション全体に圧力がかかる。この空気の圧力を利用し、クッションを密閉する。【００１３】  密封の具体的な論理を説明する。【００１２】で論じたとおり、空気の圧力でクッションを密閉する。その為に、密閉口に圧力が集中しないように、かつ密閉口にかかる圧力を他の個所よりも少なくする開発をおこなった。図２をご覧頂きたい（図２は図１のＡｂの拡大図）。Ｂａが密封・開封を行う口の部分。Ｂｂの部分が口とクッションが接する点である。Ｂｂの位置に、他と比べて太い線がある。この素材は、ビニールの板等であり、その右側からでている細い線はクッションの素材と同質等のビニール等であり、圧力が密封口に集中させることを防いでいる。Ｂａで空気を密封したのちに、Ｂａを図２のＢｃのように折り曲げる。この事により密閉口への圧力を他の個所より少なくしている。【００１４】  密閉口の論理を説明する。図４のＤａを拡大したのがＤｂである。細い線が細い硬く厚いビニールの線である（ここでは便宜的にビニールで説明しているのでそれ以外の素材でもいい）。これを両側から圧力をかけることにより密閉する。圧力のかけ方は、手で行うこともできるが、より簡易にする為に、図４のＤｃのチャックを開発した。チャックは密閉したい時は、チャックを横にずらし、圧力で閉め、開封したい際は、密閉口の端を手で持ち、一気に開封する。【００１５】  密閉をチャックでしたあとにさらに空気の漏れを防ぐ為、かつ本体全体の見栄えをよくする論理を説明する。図５をご覧頂きたい。図５のＥａ密閉・開封口の部分の拡大図がＥｂである。そしてＥｃがチャック部分、Ｅｄが密閉・開封口の部分である。また、点線がクッションの本体を示しており、チャックの部分をクッション本体からでているビニールにしまう。さらに、この先端をジッパーで留める。こうすることにより、Ｅｄの部分がクッションと平行になり、より空気の流出を防ぎ、かつチャックの部分がぶらぶら遊ばない為、見栄えをよくする。【００１６】  クッションの活用法の一例を説明する。ここでは、今まで説明してきたクッションの理論をどのように活用するか、一例を挙げて説明する。図６をご覧頂きたい。図６のＦａが今まで説明してきた本体である。Ｆｂが活用したクッションである。クッションの上下に（上だけでもいい）くぼみをつけ、その先を上下で高さを固定させる（固定できるようにＦｃで留める）。こうすることで、「痔」でフラットな場所で座ることが苦痛な人が使用できる医療用具的なクッションとなる。ポイントはビニール素材（他の素材でもいい）である為、小さく折りたため、使用した際に簡易に利用できることである。また、その他の方法としては、外で赤ちゃんのおしめ替え等の場所がない時にこのクッションを使用するような活用方法等がある。
【図面の簡単な説明】
【００１７】
【図１】  本発明の全体図
【図２】  本発明のうち、空気を流出させない為の開発図
【図３】  本発明のうち、空気が流出しない論理図
【図４】  本発明のうち、密閉口、開封口の論理図
【図５】  本発明のうち、密閉口、開封口を固定させる論理図・全体の見栄えをよくする論理図
【図６】  本発明の活用方法の一例図
【符号の説明】
【００１８】Ａａ  チャックをしまう部分
Ａｂ  密閉・開封するチャック
Ｂａ  チャック
Ｂｂ  本体とチャックの接する部分
Ｂｃ  密閉・開封口の拡大図
Ｃａ  圧力の図解
Ｄａ  チャックの部分
Ｄｂ  チャックの拡大図
Ｄｃ  チャックを簡易に閉める論理図
Ｅａ  密閉・開閉口の図
Ｅｂ  密閉・開閉口の拡大図
Ｅｃ  チャック
Ｅｄ  本体と密閉・開閉口の接点の図
Ｅｅ  チャックをしまう部分を示した図
Ｆａ  今回紹介した論理の本体
Ｆｂ  今回紹介した論理の本体以外の作成例
【図１】
2006130257.tif 000003
【図２】
2006130257.tif 000004
【図３】
2006130257.tif 000005
【図４】
2006130257.tif 000006
【図５】
2006130257.tif 000007
【図６】
2006130257.tif 000008